(57)【要約】【課題】  酸素富化機能付き空気調和機を利用して使用者に直接高濃度酸素を供給することで、使用者に対しリラクゼーション効果を与える空気調和機を提供することを目的としている。【解決手段】  酸素富化空気を発生する酸素富化手段４、空気調和手段（図示せず）を有する本体１と、前記酸素富化空気を吐出する酸素富化空気吐出部１２とを備え、前記酸素富化空気吐出部１２を前記本体１外に配設し、かつ、前記酸素富化手段４と前記酸素富化空気吐出部１２とを連通可能に構成した空気調和機で、使用者が空気調和機から吐出される高濃度酸素を直接吸引したい場合には、前記酸素富化空気吐出部１２を、使用者の鼻もしくは口の近傍に配置することで高濃度酸素の吸引ができ、リラクゼーション効果を得ることができる。【選択図】  図３
2005076991.tif 000002
【特許請求の範囲】
【請求項１】
酸素富化空気を発生する酸素富化手段、空気調和手段を有する本体と、前記酸素富化空気を吐出する酸素富化空気吐出部とを備え、前記酸素富化空気吐出部を前記本体外に配設し、かつ、前記酸素富化手段と前記酸素富化空気吐出部とを連通可能に構成した空気調和機。
【請求項２】
本体に酸素富化空気本体吐出部を設け、酸素富化空気が、前記酸素富化空気本体吐出部と酸素富化空気吐出部との双方から吐出可能に構成した請求項１記載の空気調和機。
【請求項３】
本体の空気調和設定条件に基づいて、酸素富化空気吐出部から吐出する酸素富化空気の濃度、風量、温度のうち少なくともいずれか１つを決定する請求項１または２記載の空気調和機。
【請求項４】
酸素富化空気吐出部から吐出する酸素富化空気の吐出条件は、本体の空気調和設定条件とは関連なく決定される請求項１または２記載の空気調和機。
【請求項５】
酸素富化空気が、酸素富化空気本体吐出部あるいは酸素富化空気吐出部のいずれか１方から吐出できるように切替手段を設けた請求項２記載の空気調和機。
【請求項６】
酸素富化手段の動作状態を報知する報知手段を設けた請求項１〜５のいずれか１項に記載の空気調和機。
【請求項７】
酸素富化空気がいずれの吐出部から吐出しているかを報知する報知手段を設けた請求項１〜６のいずれか１項に記載の空気調和機。
【請求項８】
本体の操作手段と、酸素富化空気吐出部から吐出する酸素富化空気の条件設定や動作を制御する操作手段とを同一とした請求項１〜７のいずれか１項に記載の空気調和機。
【請求項９】
本体の操作手段と、酸素富化空気吐出部から吐出する酸素富化空気の条件設定や動作を制御する操作手段とを別々とし、酸素富化空気の条件設定や動作を制御する操作手段については、酸素富化空気吐出部近傍に設けた請求項１〜７のいずれか１項に記載の空気調和機。
【請求項１０】
操作手段を遠隔操作手段とした請求項８または９記載の空気調和機。
【請求項１１】
酸素富化空気の吐出の開始及び停止は、酸素富化手段と酸素富化空気吐出部との連通させる動作に連動して行なわれる構成とした請求項１〜７のいずれか１項に記載の空気調和機。
【請求項１２】
酸素富化手段から酸素富化空気吐出部までの経路間に、経路内面に結露した水滴を収集する貯水部を設けた請求項１〜１１のいずれか１項に記載の空気調和機。
【請求項１３】
酸素富化手段から酸素富化空気吐出部までの経路の少なくとも一部を、本体内部または近傍へ収納可能に構成した請求項１〜１２のいずれか１項に記載の空気調和機。
【請求項１４】
酸素富化空気吐出部をヘッドセットに形成した請求項１〜１３のいずれか１項に記載の空気調和機。
【請求項１５】
酸素富化空気吐出部を卓上式スタンドに形成した請求項１〜１３のいずれか１項に記載の空気調和機。
【発明の詳細な説明】
【技術分野】
【０００１】
本発明は、酸素富化手段を備えた空気調和機において、使用者へより効率的に高濃度酸素供給する方法に関するものである。
【背景技術】
【０００２】
まず最初に一般家庭で使用される酸素富化機能付き空気調和機についての概略構成を図８、図９にて説明する。わかり易い事例として、冷房専用のエアーコンディショナーを例として説明を行う。
【０００３】
図８に示すように、家屋に取り付けられる一般的な冷房専用のエアーコンディショナーは室内機１と室外機２に分けられ、室内機１と室外機２はガス供給管３で接続されている。室外機１と室外機２それぞれについては、図９に示すように室内機１には室内の暖かい空気を吸引するための吸引口７、及び冷房した空気を吐出するための吐出部５が設けられており、室内へ高濃度酸素を送り込むための酸素富化手段４は室内機１、もしくはコンプレッサーを有した室外機２に内蔵され、室内機１には高濃度酸素吐出用の酸素富化空気本体吐出部６が別途設けられることもある。
【０００４】
また、室外機２に酸素富化手段４を備える場合については、図８に示すガス供給管３とは別に、室内機１内へ高濃度酸素を送り込むための、酸素供給管が必要となる。上記構成の場合の作用は、室外機２のコンプレッサーで冷媒ガスを圧縮して冷やして、ガス供給管３を通して室内機１へ送り込む。室内機１では暖かい空気を吸引口７より吸い込み、それを熱交換器（空気調和手段）にて冷却して吐出部５より吐出する。温まった冷媒ガスは、室外機２に戻って熱を放出して、再び冷やされる。それを繰り返すことにより室内が冷えていく（例えば、特許文献１参照のこと）。この時、冷房の効果を早め、且つ冷気が逃げないために、室内の窓などは締め切った状態にするため、酸素濃度の低下は抑えきれない。したがって、室内機１もしくは室外機２に酸素富化手段４を備え、酸素富化空気本体吐出部６もしくは室内機１自体の本体吐出部５より高濃度酸素を吐出させることにより、室内の酸素濃度の低下を防止することができる。
【特許文献１】特開昭６４−４１７３２号公報
【発明の開示】
【発明が解決しようとする課題】
【０００５】
しかしながら、この様な構成の従来の酸素富化機能付き空気調和機では、室内全体に高濃度酸素が供給されるため、室内の酸素濃度低下を抑制することは可能であるが、通常の酸素濃度（一般的には２１％前後と言われている）より高い酸素を使用者に直接供給し、使用者に対しリラクゼーション効果を与えることは困難であった。
【０００６】
本発明は、前記従来の課題を解決するもので、酸素富化機能付き空気調和機を利用して使用者に直接高濃度酸素を供給することで、使用者に対しリラクゼーション効果を与える空気調和機を提供することを目的としている。
【課題を解決するための手段】
【０００７】
上記課題を解決するために本発明は、酸素富化空気を発生する酸素富化手段、空気調和手段を有する本体と、前記酸素富化空気を吐出する酸素富化空気吐出部とを備え、前記酸素富化空気吐出部を前記本体外に配設し、かつ、前記酸素富化手段と前記酸素富化空気吐出部とを連通可能に構成した空気調和機で、使用者が空気調和機から吐出される高濃度酸素を直接吸引したい場合には、前記酸素富化空気吐出部を、使用者の鼻もしくは口の近傍に配置することで高濃度酸素の吸引ができ、リラクゼーション効果を得ることができる。
【発明の効果】
【０００８】
本発明によれば、酸素富化機能を利用して使用者に直接高濃度酸素を供給することで、使用者に対しリラクゼーション効果を与えることができる空気調和機を提供できる。
【発明を実施するための最良の形態】
【０００９】
第１の発明は、酸素富化空気を発生する酸素富化手段、空気調和手段を有する本体と、前記酸素富化空気を吐出する酸素富化空気吐出部とを備え、前記酸素富化空気吐出部を前記本体外に配設し、かつ、前記酸素富化手段と前記酸素富化空気吐出部とを連通可能に構成した空気調和機で、使用者が空気調和機から吐出される高濃度酸素を直接吸引したい場合には、前記酸素富化空気吐出部を、使用者の鼻もしくは口の近傍に配置することで高濃度酸素の吸引ができ、リラクゼーション効果を得ることができる。
【００１０】
第２の発明は、本体に酸素富化空気本体吐出部を設け、酸素富化空気が、前記酸素富化空気本体吐出部と酸素富化空気吐出部との双方から吐出可能に構成したもので、室内の酸素濃度低下の防止と、使用者への高濃度酸素供給によるリラクゼーション効果の双方を得ることが可能となる。
【００１１】
第３の発明は、本体の空気調和設定条件に基づいて、酸素富化空気吐出部から吐出する酸素富化空気の濃度、風量、温度のうち少なくともいずれか１つを決定するもので、より優れたリラクゼーション効果を得ることが可能となる。
【００１２】
第４の発明は、酸素富化空気吐出部から吐出する酸素富化空気の吐出条件は、本体の空気調和設定条件とは関連なく決定されるもので、使用者の体調、気分によって自由に使用者が可変・供給することができる。
【００１３】
第５の発明は、酸素富化空気が、酸素富化空気本体吐出部あるいは酸素富化空気吐出部のいずれか１方から吐出できるように切替手段を設けたもので、室内の酸素濃度低下を防ぎたい場合、使用者のリラクゼーション効果を図りたい場合の選択が自由に行うことができる。
【００１４】
第６の発明は、酸素富化手段の動作状態を報知する報知手段を設けたもので、高濃度酸素が吐出されているか否かの判断を容易に行うことができる。
【００１５】
第７の発明は、酸素富化空気がいずれの吐出部から吐出しているかを報知する報知手段を設けたもので、酸素富化空気がどこから吐出されているかを使用者が容易に確認することができる。
【００１６】
第８の発明は、本体の操作手段と、酸素富化空気吐出部から吐出する酸素富化空気の条件設定や動作を制御する操作手段とを同一としたもので、一つの操作部で全ての操作を行うことが可能となる。
【００１７】
第９の発明は、本体の操作手段と、酸素富化空気吐出部から吐出する酸素富化空気の条件設定や動作を制御する操作手段とを別々とし、酸素富化空気の条件設定や動作を制御する操作手段については、酸素富化空気吐出部近傍に設けたもので、常に使用者の手元に操作部が存在するため、操作をするために使用者が移動することなく、操作性に優れている。
【００１８】
第１０の発明は、操作手段を遠隔操作手段としたもので、余計な配線がなく、シンプルに設置、使用することが可能となる。
【００１９】
第１１の発明は、酸素富化空気の吐出の開始及び停止は、酸素富化手段と酸素富化空気吐出部との連通させる動作に連動して行なわれる構成としたもので、具体的な操作を行うことなく、より容易に使用が可能である。
【００２０】
第１２の発明は、酸素富化手段から酸素富化空気吐出部までの経路間に、経路内面に結露した水滴を収集する貯水部を設けたもので、酸素富化手段から酸素富化空気吐出部までの経路内面に結露した水滴を、より効率的に収集することができる。
【００２１】
第１３の発明は、酸素富化手段から酸素富化空気吐出部までの経路の少なくとも一部を、本体内部または近傍へ収納可能に構成したもので、使用時以外は室内の配線をなくし、見栄えをよくすることができる。
【００２２】
第１４の発明は、酸素富化空気吐出部をヘッドセットに形成したもので、使用者に安定して高濃度酸素を供給することができる。
【００２３】
第１５の発明は、酸素富化空気吐出部を卓上式スタンドに形成したもので、机などで使用の際に、使用者に安定して高濃度酸素を供給することができる。
【００２４】
以下、本発明の実施の形態について、図面を参照しながら説明する。なお、この実施の形態によって本発明が限定されるものではない。
【００２５】
（実施の形態１）
以下、本発明の実施の形態について図１〜図７をもとに説明を行う。酸素富化機能付き空気調和機の基本動作、作用など従来例と同じ構成部分については説明を省略する。
【００２６】
図１に示されるように本発明では、酸素富化空気を発生する酸素富化手段４の酸素富化空気本体吐出部６から、空気調和機８の室内機１（本体）の外部へ集中的に酸素を吐出させるために着脱用吐出部材９を導出し、前記着脱用吐出部材９の吐出部には差込口１０を備え、前記差込口１０には酸素富化空気吐出部を更に延長させるための軟質のチューブ等からなる延長部材１１を接続し、前記延長部材１１には酸素富化空気吐出部１２が備えられている。（なお、図１では空気調和機８の室内機１に、酸素富化空気本体吐出部６を備えているが、酸素富化空気本体吐出部６を設けず、酸素富化手段４から直接酸素富化空気を着脱用吐出部材９に吐出してもよい。なお、その場合には、前記差込口１０が酸素富化空気本体吐出部となる）。
【００２７】
前記に示すような実施の形態では、差込口１０が室内機１より導出された着脱用吐出部材９によって、使用者が抜き差しし易い位置（一般的に室内機１は人が届き難い位置に設置されている）にまで配置することができるため、軟質のチューブ等からなる延長部材１１を接続し（着脱自在な構成）、酸素富化空気吐出部１２を使用者の鼻もしくは口の近傍に配置することで高濃度酸素の吸引ができ、容易にリラクゼーション効果を得ることができる。
【００２８】
また、酸素富化機能付き空気調和機８の本来の効果と、本発明の上記効果を同時に得たい場合については、図２に示すように、酸素富化手段４から着脱用吐出部材９（酸素富化空気本体吐出部６）までの酸素吐出経路１３を分岐して、空気調和機８の室内機１の吐出部５へも繋がる本体吐出経路１４を備えることにより、酸素富化空気を、空気調和機８自体の吐出部５と、本体外部に導出した着脱用吐出部材９の双方から吐出可能とすることにより、本来酸素富化機能付き空気調和機８の特徴である室内の酸素濃度低下の防止に加え、使用者への高濃度酸素供給によるリラクゼーション効果の双方を得ることが可能となる。
【００２９】
着脱用吐出部材９からの酸素富化空気吐出の設定については、空気調和機８から吐出される空気の流量、温度などの設定条件に応じて、着脱用吐出部材９から吐出される酸素富化空気を前記設定条件に最も適した酸素濃度、流量、温度のうち、少なくともいずれか１つを決定して供給する機能を有することによって、室温の状態などに最も適応した酸素濃度を使用者に提供できるため、より優れたリラクゼーション効果を得ることが可能となる。
【００３０】
しかしながら、室温の状態による必要な酸素濃度、流量、温度などは個々人によって差もあり、使用者の体調、気分によって自由に使用者が可変・供給したい場合などには、空気調和機８から吐出される空気の流量、温度などの設定条件とは無関係に供給してもよい。
【００３１】
酸素富化空気吐出部の切替については、図２に示す酸素吐出経路１３から本体吐出経路１５に分岐される分岐点に流路切替手段１５を設け、酸素富化空気手段４により発生する酸素富化空気を、空気調和機８自体の吐出部５と、本体外部に導出した着脱用吐出部材９のどちらか一方のみの吐出へ、手動もしくは自動で切替可能とすることにより、室内の酸素濃度低下を防ぎたい場合、使用者のリラクゼーション効果を図りたい場合の選択が自由に行うことができる。また、酸素富化空気を、空気調和機８自体の吐出部５と、本体外部に導出した着脱用吐出部材９の双方から吐出するように、手動もしくは自動で切替可能とすることにより、室内の酸素濃度低下を防ぎつつ、使用者のリラクゼーション効果を同時に図りたい場合の選択が自由に行うことができる。
【００３２】
動作時の表示については、酸素富化手段４が動作しているかどうかを、室内機１もしくはその他の箇所で、報知手段であるＬＥＤ等により視覚的に表示を行うことにより、酸素富化空気が吐出されているか否かの視覚的判断を容易に行うことができる。（酸素富化空気は無色・無臭であるため、吐出されているかどうかについては、ＬＥＤなどで使用者に対して、認識させる意味がある）。
【００３３】
また、酸素富化空気が空気調和機８自体の吐出部５のみ、もしくは着脱用吐出部材９み、もしくは双方から吐出されているかどうかを、室内機１もしくはその他の箇所で、報知手段であるＬＥＤ等により視覚的に表示を行うことにより、酸素富化空気がどこから吐出されているかの視覚的判断を容易に行うことができる。
【００３４】
着脱用吐出部材９からの酸素富化空気を吐出する際の操作については、操作手段を、空気調和機８の本体の操作部１６と同一にして対応することにより、一つの操作部１６で全ての操作を行うことが可能となる。しかしながら、高齢者などによっては、一つの操作部１６に空気調和機８の動作設定と、着脱用吐出部材からの酸素富化空気の吐出設定を同時に持たすことが、操作の複雑化に繋がる可能性もあるため、図２に示すように、着脱用吐出部材９からの酸素富化空気を吐出する際の操作については、前記着脱用吐出部材９の近傍に操作部を設けることにより、空気調和機８の操作とを明確に分離することができ、高齢者などにとっては複雑でなく、よりわかり易い操作を提案できる。
【００３５】
更に分離方式でより使い勝手を向上するには、着脱用吐出部材９に接続する延長部材１１の酸素富化空気吐出部１２近傍に操作部１６を設けることにより、常に使用者の手元に操作部１６が存在するため、操作をするために使用者が移動することなく、更に使い勝手の向上が図れる。
【００３６】
また、上記操作部１６を遠隔操作手段等の無線で制御する構成とすれば、余計な配線の必要もなく更に使い勝手の向上が図れる。更に操作自体をなくしてしまうには、機械的なスイッチなどにより延長部材１１の酸素富化空気吐出部１２の使用者への着脱、もしくは延長部材１１の着脱用吐出部材９への着脱等に連動して、自動的に酸素富化空気の吐出経路の切替を行え、具体的に使用者が操作を行うことなく、より容易に使用ができる。
【００３７】
次に酸素富化手段４を通過した酸素富化空気は、周囲の空気より湿度が高くなり、酸素富化空気が通過した経路は結露しやすくなる課題を解決するために、図３に示すように、酸素富化手段４から着脱用吐出部材９までの酸素吐出経路１３内面に結露した水滴を収集するための貯水部である水滴収集タンク１７を、酸素吐出経路１３の一部に設けることにより、酸素富化手段４から着脱用吐出部材９入り口までの酸素吐出経路１３内面に結露した水滴をより効率的に収集することができ、水滴付着による衛生面の向上を図ることができる。
【００３８】
更に、延長部材１１内面に結露した水滴を収集するための水滴収集タンク１７を、延長部材１１の一部に設けることにより、延長部材１１内面に結露した水滴をより効率的に収集することができる。更に、延長部材１１内面に結露した水滴を収集するための水滴収集タンク１７を、着脱用吐出部材９自体、もしくは着脱用吐出部材９近傍に設けることにより、水滴収集タンク１７の出し入れがし易いとともに、水滴収集タンク１７が延長部材１１にないため使用性も向上した状態で水滴をより効率的に収集することができる。
【００３９】
更に、前記のように水滴収集タンク１７を用いずに経路内の水滴を除去する方法として、酸素富化手段４の動作停止後には、空気調和機８が自動的に除湿運転を一定時間行い、延長部材１１内面に結露した水滴を除湿する機能を有することにより、水滴収集タンク１７を設けることなく、水滴を除去することができる。ただしこの場合は、除湿機能を備えた空気調和機８で、且つ空気調和機８の本体吐出部５からの空気が着脱用吐出部材９に流入する経路を構成する必要がある。
【００４０】
着脱用吐出部材９の収納方法については図４に示すように、空気調和機８の室内機１本体内部へ収納可能とすることにより、使用時以外は室内の配線をなくし、見栄えをよくすることができる。更に、室内機１本体内部へ折りたたみ式で収納可能とすれば、コンパクトに収納可能なため、室内機１の収納スペースをより少ないスペースで収納できる。更に、室内機１本体内部へ伸縮方式で収納可能とすれば、伸縮方式であるが故に出し入れをより容易に行うことができる。また、空気調和機８室内機１本体から導出された着脱用吐出部材９の出し入れを、操作部１６の操作により自動で出し入れ可能とすることにより、出し入れをより容易に行うことができる。
【００４１】
延長部材１１の収納方法については、着脱用吐出部材９、もしくは着脱用吐出部材９近傍に延長部材収納ボックス１９を設け収納可能とすることにより、チューブ等からなる延長部材１１を使用する度に着脱することなく、使用時の手間を省くことができる。更に図５に示すように、着脱用吐出部材９、もしくは着脱用吐出部材９近傍にコードリール式で収納可能とすることにより、より容易に収納することができる。更には、操作部１６の操作により自動で可能とすることにより、より容易に収納することができる。
【００４２】
使用者に酸素富化空気を安定して供給するための方法として、図６に示すように延長部材１１の吐出部にヘッドセット２０を取り付けることにより、使用者に安定して酸素富化空気を供給することができる。別の方法としては図７に示すように、延長部材１１の吐出部にスタンド２１を取り付けることにより、特に机などで使用の際に、使用者に安定して酸素富化空気を供給することができる。
【産業上の利用可能性】
【００４３】
本発明にかかる酸素富化機能付き空気調和機は、部屋自体の酸素濃度低下を防止する本来の機能以外にも、特定の使用者に対して酸素富化空気を直接供給し、リラックス効果を得る機能を同時に有する空調機としても適用できる。
【図面の簡単な説明】
【００４４】
【図１】実施の形態１の空気調和機の概略構成図
【図２】同空気調和機の他の概略構成図
【図３】同空気調和機の他の概略構成図
【図４】同空気調和機の概略構成図
【図５】同空気調和機の概略構成図
【図６】同空気調和機の他の概略構成図
【図７】同空気調和機の他の概略構成図
【図８】空気調和機の概略構成図（設置状態）
【図９】（ａ）空気調和機の室内機の概略構成図（ｂ）空気調和機の室外機の概略構成図
【符号の説明】
【００４５】
１  室内機（本体）
４  酸素富化手段
５  本体吐出部
６  酸素富化空気本体吐出部
９  着脱用吐出部材
１０  差込口
１１  延長部材
１２  酸素富化空気吐出部
１３  酸素吐出経路
１４  本体吐出経路
１５  分岐弁
１６  操作部
１７  水滴収集タンク（貯水部）
１８  収納ボックス
１９  延長部材収納ボックス
２０  ヘッドセット
２１  スタンド
【図１】
2005076991.tif 000003
【図２】
2005076991.tif 000004
【図３】
2005076991.tif 000005
【図４】
2005076991.tif 000006
【図５】
2005076991.tif 000007
【図６】
2005076991.tif 000008
【図７】
2005076991.tif 000009
【図８】
2005076991.tif 000010
【図９】
2005076991.tif 000011